(57)【要約】【課題】高く打ち上げる練習も十分になし得ると共に、打球の跳返りの心配もなく、結果として省スペースで効果的な練習を行うことが可能なゴルフ練習装置を提供する。【解決手段】打席２と、打席２の正面に設置された、ゴルフボールＢが衝突した際の跳返りを小さくする正面受球手段４と、打席２の上方から正面受球手段４の上端部又は該上端部の近傍にわたって架設された、ゴルフボールＢが衝突した際の跳返りを小さくする上面受球手段３と、前記上面受球手段３の下側に、打球目標方向に略直交する水平方向に伸びる帯状垂れ幕又はネット１２ａ、１２ｂ、１２ｃとを備えた。【選択図】図１
2013005900.tif 000002
【特許請求の範囲】
【請求項１】
ゴルフの打球練習を行うための打席と、
前記打席の正面に設置された、ゴルフボールが衝突した際の跳返りを小さくする正面受球手段と、
前記打席の上方から前記正面受球手段の上端部又は該上端部の近傍にわたって架設された、ゴルフボールが衝突した際の跳返りを小さくする上面受球手段と、
前記上面受球手段の下側に、打球目標方向に略直交する水平方向に伸びる帯状垂れ幕又はネットと、
を備えたことを特徴とするゴルフ練習装置。
【請求項２】
前記正面受球手段及び前記帯状垂れ幕又はネットの少なくともどちらかに打球練習の標的を取り付けてなる請求項１記載のゴルフ練習装置。
【請求項３】
前記正面受球手段の手前側に、ゴルフボールが通過可能な網目を有する跳返り防止ネットを備えてなる請求項１又は２に記載のゴルフ練習装置。
【請求項４】
前記帯状垂れ幕又はネットを、前記上面受球手段の打球目標前後方向に離間する複数位置に吊り下げてなる請求項１〜３の何れか１項に記載のゴルフ練習装置。
【請求項５】
前記打席と前記正面受球手段との間の床面に、打球目標方向に略直交する水平方向に伸びたゴルフボール回収用のコンベアを設け、前記床面を前記コンベアに近づく方向に傾斜させてなる請求項１〜４の何れか１項に記載のゴルフ練習装置。
【請求項６】
ゴルフクラブのヘッドスピード及び打球速度を計測するセンサと、該センサにより得られた情報を表示する計測値表示部とを設けた請求項１〜５の何れか１項に記載のゴルフ練習装置。
【発明の詳細な説明】
【技術分野】
【０００１】
本発明は、主に限られた空間に設置されるゴルフ練習装置に関わり、更に詳しくは、単に打つのみではなくドライバーショットやアプローチショット等、各ショットの正確性を高め、ゴルフコースで必要とされるパター以外の全ての練習を限られたスペースで行うことが可能なゴルフ練習装置に関するものである。
【背景技術】
【０００２】
従来、小空間でのゴルフ練習を楽しく行い得る練習用ゴルフネットとして、少なくとも打球を受ける前面のネットにゴルフコースの風景等を直接カラープリントし、的となる小部分に高音を発する生地を用いたものが提案され（例えば、特許文献１参照。）、又、円錐台の形状をなしたネットの先端側でゴルフボールを受けた際元に戻るように、吊フレーム及び開口フレームにネットを張り、ネットの先端にショット目標を設けたものも提案されている（例えば、特許文献２参照。）。
【先行技術文献】
【特許文献】
【０００３】
【特許文献１】実開平５−９５７４号公報
【特許文献２】特開平６−１４２２５２号公報
【発明の概要】
【発明が解決しようとする課題】
【０００４】
特許文献１記載の練習用ゴルフネットは、枠組みとなるポールの前面、両側面及び上面にネットを張設し、ゴルフ場の風景が印刷された生地に標的となる丸印を付したものであり、この風景と標的により、楽しく且つ実戦的に練習することができるものである。
また、特許文献２記載のゴルフ練習装置は、錐形台の形状をなしたネットと、該ネットの先端側でゴルフボールを受けた際元に戻るように錐形台形状に保持して前記ネットの先端を設置するための吊フレームと、前記ネットの底面側を開口状態を保持して設置するための開口フレームと、前記ネットの先端形状を保持すると共にプレイヤーのショット目標を設けかつゴルフボールによる打撃の緩衝材を設けたネット端部と、前記開口フレーム近傍に位置して設けたプレイ台と備え、ショット目標に向けて打ち込むことで効率的な練習を可能とするものである。
【０００５】
ここで、ゴルフのショットにはドライバーショットのように低い弾道で打ち放つものもあるが、アプローチショットのように高く打ち放つものもある。
しかし、特許文献１及び２記載のゴルフ練習装置等は、高さに制限のあるものとならざるを得ず、例えばボールを高く打ち上げると防護ネットに当たってしまい、ボールの行方が変わってしまう。又、防護ネットや天井に当たらない場合であっても、これらに当てないように打つという意識が利用者に働く。よって、効果的な練習を行うことが困難であった。
また、特許文献１記載の練習用ゴルフネットは枠組みとしてのポールが必要であるが、打球がこのポールに当たった場合に利用者や見学者等に向かって跳ね返る可能性もあり、練習に集中できなかった。
【０００６】
そこで、本発明が前述の状況に鑑み解決しようとするところは、高く打ち上げる練習も十分になし得ると共に、打球の跳返りの心配もなく、結果として省スペースで効果的な練習を行うことが可能なゴルフ練習装置を提供する点にある。  
【課題を解決するための手段】
【０００７】
本発明に係るゴルフ練習装置は、ゴルフの打球練習を行うための打席と、前記打席の正面に設置された、ゴルフボールが衝突した際の跳返りを小さくする正面受球手段と、前記打席の上方から前記正面受球手段の上端部又は該上端部の近傍にわたって架設された、ゴルフボールが衝突した際の跳返りを小さくする上面受球手段と、前記上面受球手段の下側に、打球目標方向に略直交する水平方向に伸びる帯状の垂れ幕又はネットとを備えたことを特徴とするものである。
【０００８】
ここで、前記正面受球手段及び前記帯状垂れ幕又はネットの少なくともどちらかに打球練習の標的を取り付けてなると好ましい。
【０００９】
前記正面受球手段の手前側に、ゴルフボールが通過可能な網目を有する跳返り防止ネットを備えたものであると好ましい実施の形態である。
【００１０】
また、前記帯状垂れ幕又はネットを、前記上面受球手段の打球目標前後方向に離間する複数位置に吊り下げてなると好ましい実施の形態である。
【００１１】
さらに、前記打席と前記正面受球手段との間の床面に、打球目標方向に略直交する水平方向に伸びたゴルフボール回収用のコンベアを設け、前記床面を前記コンベアに近づく方向に傾斜させてなると好ましい。
【００１２】
ゴルフクラブのヘッドスピード及び打球速度を計測するセンサと、該センサにより得られた情報を表示する計測値表示部とを設けることもできる。
【発明の効果】
【００１３】
本発明に係るゴルフ練習装置によれば、前記上面受球手段の下側に、打球目標方向に略直交する水平方向に伸びる帯状の垂れ幕又はネットを備えてなるため、当該帯状の垂れ幕又はネットを狙ってゴルフボールを打ち上げることにより、打球の飛び出し角度を調整する練習を行うことができる。また、強い打球が上方へ打ち上げられた場合も先に帯状の垂れ幕又はネットに当たると減勢されて上面受球手段への衝撃を緩和することとなる。
【００１４】
上面受球手段に標的を設けたことにより、高い位置にある標的に照準を定めてゴルフボールを打つ練習を行うことができ、高く打ち上げるアプローチショット等の打球の飛び出し角度や方向の正確性を高めることが可能となる。
また、正面受球手段にも標的を設けることにより、比較的低い弾道となるドライバーショット等の正確性を高める練習もできるため、単に打つ練習ではなく各ショットの正確性を高め、ゴルフコースで必要とされるパター以外の全ての練習を限られたスペースで行うことが可能となる。
【００１５】
前記正面受球手段の手前側に、ゴルフボールが通過可能な網目を有する跳返り防止ネットを備えたものであると、打ち放たれたゴルフボールが先ず跳返り防止ネットに接触して減勢されて跳返り防止ネットを通過した後、正面受球手段に当たることとなり、ゴルフボールによる衝撃を吸収しやすい。
また、跳返り防止ネットを通過したゴルフボールが、正面受球手段に当たって跳返る際に跳返り防止ネットに引っ掛かることで跳返り防止ネットよりも利用者側へゴルフボールが飛び出すことを防止する。
このため、利用者が打ち放ったゴルフボールは正面受球手段と跳ね返り防止ネットとの間で床面上に落下し、ゴルフボールの収集が容易となる。
また、結果的に複数の部材で打球の衝撃を吸収するため、一部材で当該衝撃を吸収するものと比べると衝撃音が小さく、周囲環境への騒音も低減しうる。
【００１６】
さらに、前記帯状垂れ幕又はネットを、前記上面受球手段の打球目標前後方向に離間する複数位置に吊り下げて構成するだけで、利用者からは各帯状垂れ幕又はネットが上下方向に異なって位置するように見えるため、限られたスペース内であっても打球の打ち出し角度の調整を目的とする練習も効果的に行うことができる。
【００１７】
また、前記打席と前記正面受球手段との間の床面に、打球目標方向に略直交する水平方向に伸びたゴルフボール回収用のコンベアを設け、前記床面を前記コンベアに近づく方向に傾斜させてなるものによれば、床面上に落下したゴルフボールが、床面の傾斜でコンベア上に集められ、コンベアによってコンベアの一方又は両方の端部に集められるため、装置内の全てのゴルフボールを容易に収集することができる。
【００１８】
ゴルフクラブのヘッドスピード及び打球速度を計測するセンサと、該センサにより得られた情報を表示する計測値表示部とを設けると、スイング毎のヘッドスピードや打球速度を確認することにより、修正すべき点が明確となり、効果的な練習を行うことが可能となる。
【図面の簡単な説明】
【００１９】
【図１】本発明の実施形態に係るゴルフ練習装置の構成を示す縦断側面図である。
【図２】同じくゴルフ練習装置の構成を示す正面図である。
【図３】同じくゴルフ練習装置の正面保護ネット及び跳返り防止ネットの構成を示す縦断斜視図である。
【発明を実施するための形態】
【００２０】
次に本発明の実施の形態を添付図面に基づき詳細に説明するが、本発明は、添付図面に示された形態に限定されず特許請求の範囲に記載の要件を満たす実施形態の全てを含むものである。
図中符号１はゴルフ練習装置、２は打席、３は上面保護ネット（上面受球手段）、４は正面保護ネット（正面受球手段）、５は跳返り防止ネット、６ａ、６ｂ、６ｃ、６ｄ、６ｅは標的、７はコンベア、１２ａ、１２ｂ、１２ｃは帯状ネットをそれぞれ示している。
また、本明細書においては、打席から正面保護ネット方向を前方（正面）とし、前方を向いて左右方向を決定する。
【００２１】
図１及び図２に示すように、本実施形態のゴルフ練習装置１は、打席２と上面保護ネット３と正面保護ネット４と跳返り防止ネット５と複数の標的６ａ、６ｂ、６ｃ、６ｄ、６ｅとコンベア７と帯状ネット１２ａ、１２ｂ、１２ｃとより構成され、一方（駐車場側）が開放された平面施設内に設置されている。
【００２２】
打席２は、利用者が立ってゴルフボールＢを実際に打つ台であり、打席２上には、ゴルフクラブのヘッドスピード及び打球速度を計測するセンサ８と、センサ８により得られた数値や情報を表示する計測値表示部９と、ボール入れ１０とが設けられている。
【００２３】
また、各打席２、２の間に利用者の視界を遮る固定式又は可動式のスクリーンを設けると、他の利用者を意識せず練習に集中することができる。さらに、スクリーンに映像を映し出す映写機を設けることで、利用者の目の前のスクリーンに、模範となる上級者のスイングや自己のスイングの映像を映し出しながら練習を行うこともできる。
【００２４】
センサ８は、打席２の後側から前方の対象物を感知するように設定されており、利用者がゴルフボールＢを打つ際のそのゴルフクラブのヘッドスピードと、打った後のゴルフボールＢの速度を計測する。
センサ８により得られた数値は、計測値表示部９に表示される。スイング毎のヘッドスピードや打球速度を確認することにより、修正すべき点が明確となり、効果的な練習を行うことができる。また、表示される数値や情報は、実際に計測したゴルフクラブのヘッドスピードと打球速度、これらの数値から演算することにより得られる情報として概算飛距離とインパクトの適正度を数値化したものを表示するものとしているが、他の情報、例えば個体識別を行った上で表示される過去の数値データ等を併せて表示してもよい。
【００２５】
上面受球手段である上面保護ネット３は、ゴルフボールよりも小さい網目を有するネット材により構成されると共に天井の下側に天井に沿って固定され、打球が天井に当たることを防止する。上面保護ネット３は天井を保護し、騒音対策としても有効であるが、天井がない空間や十分な高さのある空間を利用可能な場合でもゴルフボールＢが高く飛び過ぎることを防止することで、打球の行方を見失わず方向や角度を確認できるため、効率的な練習を行い得る。
【００２６】
上面保護ネット３の下側には、三枚の帯状ネット１２ａ、１２ｂ、１２ｃが打球目標前後方向に離間して、打球目標方向に略直交する水平方向に伸びるように、上面保護ネット３から垂れた状態で取り付けられている。
各帯状ネット１２ａ、１２ｂ、１２ｃの前後方向の間隔は打ち上げられた打球が何れか帯状ネット１２ａ、１２ｂ、１２ｃに当たる範囲で略最長距離に設定されている。つまり、最も打席２に近い帯状ネット１２ａの下端と打席２上のボール載置位置との略直線上に、次の帯状ネット１２ｂの上端が位置するように取り付けられて、両者の間隔が定まる。他の帯状ネット１２ｃも同様に配置する。
ここで、各ゴルフクラブには理想とする打ち出し角度が設定されているため、使用したゴルフクラブの理想とする打ち出し角度で打ち出すことができたかの判断が練習では必要となる。
本実施形態に係るゴルフ練習装置１では、各帯状ネット１２ａ、１２ｂ、１２ｃに当てる打ち出し角度は予め設定することができ、又は、各帯状ネット１２ａ、１２ｂ、１２ｃの位置を変更可能としておくことができるため、使用するゴルフクラブの理想の打ち出し角度とするためには、何れの帯状ネット１２ａ、１２ｂ、１２ｃを狙えば良いか、又、打った後に打球の打ち出し角度が理想の角度であったか否かについての判断を容易に行い得る。
各帯状ネット１２ａ、１２ｂ、１２ｃに該当する打ち出し角度やゴルフクラブに関する表示を付すこともできる。
なお、帯状ネット１２ａ、１２ｂ、１２ｃは、複数の打席２間に跨って設けているが、長さを短くして各打席に個別に設けてもよく、又、図示するようなネット材以外にも幕材により構成してもよい。
【００２７】
正面受球手段である正面保護ネット４は、ゴルフボールよりも小さい網目を有するネット材により構成されると共に、打席の正面に位置する壁面の打席側に、天井から吊り下げられて壁面に沿って固定されて、打球が壁面に当たることを防止し、打球の跳返りを緩和する。正面保護ネット４を網目を有するネットで構成していることで、利用者から正面保護ネット４の奥手の壁面が見える。これを利用して壁面にゴルフ場等の風景をあらわして開放感のある空間とする、又は、壁面に映像を映し出す画面を設置したり、壁面をスクリーンとして別に設けた映写機から動きのある映像を映し出したりすることもできる。
【００２８】
跳返り防止ネット５は、打球が利用者側に向かって跳ね返ることを防止することを目的とし、正面保護ネット４の打席側に正面保護ネット４同様、天井から吊り下げられて正面保護ネット４に沿って固定されている。
利用者が、打席２から前方の標的６ａ、６ｂ、６ｃ、６ｄ、６ｅに向かってゴルフボールＢを打つと、ゴルフボールＢは、標的６ａ、６ｂ、６ｃ、６ｄ、６ｅや上面保護ネット３に当たって、又は直接に跳返り防止ネット５に向かう。ここで、図３に示すように、跳返り防止ネット５はゴルフボールＢが通過できる網目を有するネット材により構成しているため、ゴルフボールＢはこの跳返り防止ネット５を通過するが、通過時の接触によりゴルフボールＢの勢いは少し抑えられることとなる。この減勢効果を得るためには、跳ね返り防止ネット５の網目の隙間がゴルフボールＢよりも少し大きいと好ましい。
跳返り防止ネット５を通過したゴルフボールＢは正面保護ネット４に当たる。このとき、ゴルフボールＢの勢いによっては正面保護ネット４から軽く跳ね返ることもあるが、このような場合にも、跳返り防止ネット５に接触することで、ゴルフボールＢが跳返り防止ネット５から打席２側へ飛び出すことを防止することができる。
また、この跳返り防止ネット５自体に目印を付した孔を設けて標的とし、照準を定めて打ち放ったゴルフボールがこの孔を通過することで、より達成感を与えるものとしてもよい。
【００２９】
ゴルフ練習装置１の上面保護ネット３には、帯状ネット１２ａ、１２ｂ、１２ｃを介して３個の標的６ａ、６ｂ、６ｃを前後方向に離間して設け、跳返り防止ネット５には、２個の標的６ｄ、６ｅを上下方向に離間して設けている。このように設置すると、打席２に立つ利用者からは各標的６ａ、６ｂ、６ｃ、６ｄ、６ｅが上下方向に異なる位置に見え、打ち上げ角度を調整する練習も行い得る。
また、標的６ａ、６ｂ、６ｃ、６ｄ、６ｅは合成樹脂繊維のネットで構成しているため、ゴルフボールＢが当たっても跳ね返らない。
標的６ａ、６ｂ、６ｃ、６ｄ、６ｅは、上記構成に限らず他の構成として、袋状又は筒状として構成し、又はサイズや形状を異なるものとして構成することもでき、上面保護ネット３に直接取り付けることもできる。袋状として構成した場合には、下端に開閉手段を設けると共に利用者又は管理者による操作が可能なものとしてもよい。他にも例えば、上級者用に上面保護ネット３に吊り下げた輪形状の標的を通過させて、正面保護ネット４や床面上の標的を当てるものとしてもよい。
【００３０】
床面１１の打席２と正面保護ネット４との間に、打球目標方向に略直交する水平方向に伸びたゴルフボールＢ回収用のコンベア７を設けている。また、床面１１は前後方向においてコンベア７に近づくように傾斜させている。これにより、床面１１に落下したゴルフボールＢは、床面１１の傾斜によってコンベア７上まで転がる。その後、コンベア７を稼働させるとゴルフボールＢはコンベア７の一方の端部まで運ばれる。コンベア７の端部は、ゴルフボールＢの供給器（図示せず）に連結され、ゴルフボールＢはこの供給器に集められる。この供給器は利用者の操作によって有料又は無料で一定数のゴルフボールＢを排出する。利用者は排出されたゴルフボールＢをカゴに入れて自分の打席２まで運んで練習を行う。
つまり、この構成により、管理者はゴルフボールＢの収集等の作業が一切不要となる。
【００３１】
また、ゴルフ練習装置１は、特別に高い天井を必要とせず一般的な空き店舗等の既設の施設であっても設置することができるため、場所の確保に必要な費用を抑えることが可能となる。また、その構成が、床面１１の傾斜及び打席２を形成する床部材と各ネット部材とで足り、必要に応じてセンサ８等の付属品を設けるものであるため、設置コストも少ない。
よって、ゴルフ練習装置１は、設置に要するトータルのコストを従来の電子ゴルフ練習システムや広大な場所を必要とする野外ゴルフ練習場に比べると大幅に低廉化することができる。
【００３２】
なお、本実施形態においては、上面受球手段及び正面受球手段は網目を有するネットを用いているが、これに限らず他の幕（カーテン状のものも含む。）や衝撃吸収材を壁面や天井に貼り付けたものを用いることもでき、例えば、映写機用スクリーンとしても利用可能な幕とすると、別途設けた映写機からの映像により、有名ゴルフコースでのプレイを利用者に疑似体験させることも可能となり、又、衝撃吸収材を利用すると打球の衝撃をより効果的に吸収することも可能となる。
また、打席のゴルフボール載置面を着脱可能とし、利用者によって適宜選択可能な載置シートを用意しておく、又は利用者が持ち込むことで、実際のゴルフコースで特に練習を希望する状況に合わせたフェアウェイやラフ等の練習環境を提供することもできる。
さらに、打球目標の反対側にはネット等何も設けず、駐車場に停めた車から往来のし易さによって利便性を向上しているが、特に初心者用においてはネットやカーテン等を外部との間に設けることでゴルフボールが外部へ飛び出すことを防止して安全性を高めてもよい。
【符号の説明】
【００３３】
１     ゴルフ練習装置
２     打席
３     上面保護ネット（上面受球手段）
４     正面保護ネット（正面受球手段）
５     跳返り防止ネット
６ａ、６ｂ、６ｃ、６ｄ      標的
７     コンベア
８     センサ
９     計測値表示部
１０   ボール入れ
１１   床面
１２ａ、１２ｂ、１２ｃ      帯状ネット
Ｂ     ゴルフボール
【図１】
2013005900.tif 000003
【図２】
2013005900.tif 000004
【図３】
2013005900.tif 000005